【手続補正書】
【提出日】平成21年9月30日(2009.9.30)
【手続補正１】
【補正対象書類名】特許請求の範囲
【補正対象項目名】全文
【補正方法】変更
【補正の内容】
【特許請求の範囲】
【請求項１】
正極と、負極と、電解質とを有し、
前記正極が、一般式（１ａ）：
【化１】
2004342605.tif 000001
（式中、Ｒ1〜Ｒ4はそれぞれ独立して鎖状もしくは環状の脂肪族基、水素原子、メチル基、ヒドロキシル基、シアノ基、アミノ基、ニトロ基またはニトロソ基であり、Ｒ5、Ｒ6はそれぞれ独立して鎖状もしくは環状の脂肪族基、または水素原子であり、前記脂肪族基は酸素原子、窒素原子、硫黄原子、ケイ素原子、リン原子、ホウ素原子およびハロゲン原子よりなる群から選ばれる少なくとも１種を含む。）で表される構造を有する化合物を正極活物質として含むことを特徴とする二次電池。
【請求項２】
前記化合物は、一般式（１ａ）で表される構造を複数有する高分子化合物である請求項１に記載の二次電池。
【請求項３】
前記化合物は、一般式（９）：
【化２】
2004342605.tif 000002
（式中、ｎは１以上の整数である。）で表される請求項２記載の二次電池。
【請求項４】
前記化合物は、主鎖としてポリアセチレン鎖またはポリメチルメタクリレート鎖を有する請求項２記載の二次電池。
【請求項５】
前記化合物は、一般式（１０）：
【化３】
2004342605.tif 000003
（式中、ｎは１以上の整数である。）で表される請求項４記載の二次電池。
【請求項６】
前記正極は、さらに導電補助剤を含む請求項１〜５のいずれかに記載の二次電池。
【請求項７】
前記負極は、炭素材料、リチウム金属、リチウム含有複合窒化物、リチウム含有複合チタン酸化物、錫と炭素の複合物、および錫を含む複合物よりなる群から選ばれる少なくとも１種を負極活物質として含む請求項１〜５のいずれかに記載の二次電池。
【請求項８】
前記電解質は、アルカリ金属またはアルカリ土類金属のハロゲン化物を塩として含む請求項１〜５のいずれかに記載の二次電池。
【請求項９】
前記アルカリ金属はリチウムである請求項８に記載の二次電池。
【請求項１０】
前記電解質は、エチレンカーボネート、プロピレンカーボネート、ジメチルカーボネート、ジエチルカーボネート、メチルエチルカーボネート、γ−ブチロラクトン、テトラヒドロフラン、ジオキソラン、スルホランおよびジメチルホルムアミドよりなる群から選ばれる少なくとも１種を溶媒として含む請求項１〜５のいずれかに記載の二次電池。
【請求項１１】
正極と、負極と、電解質とを有し、
前記負極は、一般式（１ｂ）：
【化４】
2004342605.tif 000004
（式中、Ｒ1〜Ｒ4はそれぞれ独立して鎖状もしくは環状の脂肪族基、水素原子、メチル基、ヒドロキシル基、シアノ基、アミノ基、ニトロ基またはニトロソ基であり、Ｒ5、Ｒ6はそれぞれ独立して鎖状もしくは環状の脂肪族基、または水素原子であり、前記脂肪族基は酸素原子、窒素原子、硫黄原子、ケイ素原子、リン原子、ホウ素原子およびハロゲン原子よりなる群から選ばれる少なくとも１種を含む。）で表される構造を有する化合物を負極活物質として含むことを特徴とする二次電池。
【請求項１２】
前記正極は、金属酸化物を正極活物質として含む請求項１１に記載の二次電池。
【請求項１３】
前記電解質は、アルカリ金属またはアルカリ土類金属のハロゲン化物を塩として含む請求項１１に記載の二次電池。
【請求項１４】
前記アルカリ金属はリチウムである請求項１３に記載の二次電池。
【請求項１５】
前記電解質は、エチレンカーボネート、プロピレンカーボネート、ジメチルカーボネート、ジエチルカーボネート、メチルエチルカーボネート、γ−ブチロラクトン、テトラヒドロフラン、ジオキソラン、スルホランおよびジメチルホルムアミドよりなる群から選ばれる少なくとも１種を溶媒として含む請求項１１に記載の二次電池。
【請求項１６】
正極と、負極と、電解質とを有し、
前記正極は、一般式（２）：
【化５】
2004342605.tif 000005
（式中、Ｒ1〜Ｒ4およびＲ7〜Ｒ10はそれぞれ独立して鎖状もしくは環状の脂肪族基、水
素原子、メチル基、ヒドロキシル基、シアノ基、アミノ基、ニトロ基またはニトロソ基であり、前記脂肪族基は、酸素原子、窒素原子、硫黄原子、ケイ素原子、リン原子、ホウ素原子およびハロゲン原子よりなる群から選ばれる少なくとも１種を含む。）で表される構造を有する化合物を正極活物質として含むことを特徴とする二次電池。
【請求項１７】
前記正極は、さらに導電補助剤を含む請求項１６に記載の二次電池。
【請求項１８】
前記負極は、炭素材料、リチウム金属、リチウム含有複合窒化物、リチウム含有複合チタン酸化物、錫と炭素の複合物、および錫を含む複合物よりなる群から選ばれる少なくとも１種を負極活物質として含む請求項１６に記載の二次電池。
【請求項１９】
前記電解質は、アルカリ金属またはアルカリ土類金属のハロゲン化物を塩として含む請求項１６に記載の二次電池。
【請求項２０】
前記アルカリ金属はリチウムである請求項１９に記載の二次電池。
【請求項２１】
前記電解質は、エチレンカーボネート、プロピレンカーボネート、ジメチルカーボネート、ジエチルカーボネート、メチルエチルカーボネート、γ−ブチロラクトン、テトラヒドロフラン、ジオキソラン、スルホランおよびジメチルホルムアミドよりなる群から選ばれる少なくとも１種を溶媒として含む請求項１６に記載の二次電池。
【請求項２２】
一般式（１ａ）：
【化６】
2004342605.tif 000006
（式中、Ｒ1〜Ｒ4はそれぞれ独立して鎖状もしくは環状の脂肪族基、水素原子、メチル基、ヒドロキシル基、シアノ基、アミノ基、ニトロ基またはニトロソ基であり、Ｒ5、Ｒ6はそれぞれ独立して鎖状もしくは環状の脂肪族基、または水素原子であり、前記脂肪族基は酸素原子、窒素原子、硫黄原子、ケイ素原子、リン原子、ホウ素原子およびハロゲン原子よりなる群から選ばれる少なくとも１種を含む。）で表される構造を有する化合物からなることを特徴とする二次電池用電極活物質。
【請求項２３】
前記化合物が、一般式（１ａ）で表される構造を複数有する高分子化合物である請求項２２に記載の二次電池用電極活物質。
【請求項２４】
前記化合物は、一般式（９）：
【化７】
2004342605.tif 000007
（式中、ｎは１以上の整数である。）で表される請求項２３記載の二次電池用電極活物質。
【請求項２５】
前記化合物は、主鎖としてポリアセチレン鎖またはポリメチルメタクリレート鎖を有する請求項２３記載の二次電池用電極活物質。
【請求項２６】
前記化合物は、一般式（１０）：
【化８】
2004342605.tif 000008
（式中、ｎは１以上の整数である。）で表される請求項２５記載の二次電池用電極活物質。
【請求項２７】
一般式（１ｂ）：
【化９】
2004342605.tif 000009
（式中、Ｒ1〜Ｒ4はそれぞれ独立して鎖状もしくは環状の脂肪族基、水素原子、メチル基、ヒドロキシル基、シアノ基、アミノ基、ニトロ基またはニトロソ基であり、Ｒ5、Ｒ6はそれぞれ独立して鎖状もしくは環状の脂肪族基、または水素原子であり、前記脂肪族基は酸素原子、窒素原子、硫黄原子、ケイ素原子、リン原子、ホウ素原子およびハロゲン原子よりなる群から選ばれる少なくとも１種を含む。）で表される構造を有する化合物からなることを特徴とする二次電池用電極活物質。
【請求項２８】
一般式（２）：
【化１０】
2004342605.tif 000010
（式中、Ｒ1〜Ｒ4およびＲ7〜Ｒ10はそれぞれ独立して鎖状もしくは環状の脂肪族基、水
素原子、メチル基、ヒドロキシル基、シアノ基、アミノ基、ニトロ基またはニトロソ基であり、前記脂肪族基は、酸素原子、窒素原子、硫黄原子、ケイ素原子、リン原子、ホウ素原子およびハロゲン原子よりなる群から選ばれる少なくとも１種を含む。）で表される構造を有する化合物からなることを特徴とする二次電池用電極活物質。
【手続補正２】
【補正対象書類名】明細書
【補正対象項目名】発明の名称
【補正方法】変更
【補正の内容】
【発明の名称】二次電池および二次電池用電極活物質
【手続補正３】
【補正対象書類名】明細書
【補正対象項目名】０００８
【補正方法】変更
【補正の内容】
【０００８】
本発明の第１の二次電池は、正極と、負極と、電解質とを有し、前記正極が、一般式（１ａ）：
【手続補正４】
【補正対象書類名】明細書
【補正対象項目名】００１０
【補正方法】変更
【補正の内容】
【００１０】
（式中、Ｒ1〜Ｒ4はそれぞれ独立して鎖状もしくは環状の脂肪族基、水素原子、メチル基、ヒドロキシル基、シアノ基、アミノ基、ニトロ基またはニトロソ基であり、Ｒ5、Ｒ6はそれぞれ独立して鎖状もしくは環状の脂肪族基、または水素原子であり、前記脂肪族基は酸素原子、窒素原子、硫黄原子、ケイ素原子、リン原子、ホウ素原子およびハロゲン原子よりなる群から選ばれる少なくとも１種を含む。）で表される構造を有する化合物を正極活物質として含むことを特徴とする。
本発明の第２の二次電池は、正極と、負極と、電解質とを有し、前記負極が、一般式（１ｂ）：
【手続補正５】
【補正対象書類名】明細書
【補正対象項目名】００１２
【補正方法】変更
【補正の内容】
【００１２】
（式中、Ｒ1〜Ｒ4はそれぞれ独立して鎖状もしくは環状の脂肪族基、水素原子、メチル基、ヒドロキシル基、シアノ基、アミノ基、ニトロ基またはニトロソ基であり、Ｒ5、Ｒ6はそれぞれ独立して鎖状もしくは環状の脂肪族基、または水素原子であり、前記脂肪族基は酸素原子、窒素原子、硫黄原子、ケイ素原子、リン原子、ホウ素原子およびハロゲン原子よりなる群から選ばれる少なくとも１種を含む。）で表される構造を有する化合物を負極活物質として含むことを特徴とする。
本発明の第３の二次電池は、正極と、負極と、電解質とを有し、前記正極が、一般式（２）：
【手続補正６】
【補正対象書類名】明細書
【補正対象項目名】００１４
【補正方法】変更
【補正の内容】
【００１４】
（式中、Ｒ1〜Ｒ4およびＲ7〜Ｒ10はそれぞれ独立して鎖状もしくは環状の脂肪族基、水
素原子、メチル基、ヒドロキシル基、シアノ基、アミノ基、ニトロ基またはニトロソ基であり、前記脂肪族基は、酸素原子、窒素原子、硫黄原子、ケイ素原子、リン原子、ホウ素原子およびハロゲン原子よりなる群から選ばれる少なくとも１種を含む。）で表される構造を有する化合物を正極活物質として含むことを特徴とする。
前記化合物が、一般式（１ａ）で表される構造を複数有する高分子化合物であるのが好ましい。
また、本発明は、上記の一般式（１ａ）、（１ｂ）または（２）で表される構造を有する化合物からなる二次電池用電極活物質に関する。
【手続補正７】
【補正対象書類名】明細書
【補正対象項目名】００１５
【補正方法】変更
【補正の内容】
【００１５】
前記電解質は、エチレンカーボネート、プロピレンカーボネート、ジメチルカーボネート、ジエチルカーボネート、メチルエチルカーボネート、γ−ブチロラクトン、テトラヒドロフラン、ジオキソラン、スルホランおよびジメチルホルムアミドよりなる群から選ばれる少なくとも１種を溶媒として含むのが好ましい。
前記電解質は、アルカリ金属またはアルカリ土類金属のハロゲン化物を塩として含むのが好ましい。
【手続補正８】
【補正対象書類名】明細書
【補正対象項目名】００１６
【補正方法】変更
【補正の内容】
【００１６】
本発明の第１および第３の二次電池において、前記負極が、炭素材料、リチウム金属、リチウム含有複合窒化物、リチウム含有複合チタン酸化物、錫と炭素の複合物、錫を含む複合物、ケイ素を含む合金、およびケイ素の酸化物よりなる群から選ばれる少なくとも１種を負極活物質として含むのが好ましい。
本発明の第２の二次電池において、前記正極が、金属酸化物を正極活物質として含むのが好ましい。
前記正極は、さらに導電補助剤を含むのが好ましい。